(57)【特許請求の範囲】
【請求項１】
記録及び／又は再生用のディスクをディスクトレーの凹所内に挿入してディスク装置本体内にローディングするディスク装置において、
上記ディスクトレーの凹所の外周に配置されて、上記凹所内からの上記ディスクの脱落を防止する複数の爪を備え、
これら複数の爪をそれぞれ弾性部材で成形し、
これら複数の爪を上記ディスクトレーに回転自在に取り付けて、これら複数の爪を上記凹所内に入り込んだ位置と、その凹所外に引き出された位置との間で回転自在に構成し、
これら複数の爪の弾性を利用して、これら複数の爪を上記凹所内に入り込んだ位置と凹所外に引き出された位置とで位置決めする位置決め手段を形成したことを特徴とするディスク装置。
【請求項２】
上記複数の爪にそれぞれ挿通されて、上記ディスクトレーに脱着可能に軽圧入された複数のフランジ付支軸によって、これら複数の爪を上記ディスクトレーに回転自在に取り付けたことを特徴とする請求項１記載のディスク装置。
【請求項３】
上記複数の爪をエラストマーで成形したことを特徴とする請求項１又は請求項２記載のディスク装置。
【発明の詳細な説明】
【０００１】
【産業上の利用分野】
本発明は、ＣＤプレーヤやＣＤ−ＲＯＭドライブ等のディスク装置に関し、特に、記録及び／又は再生用のディスクをディスクトレー上に載せてディスク装置本体内にローディングするものに関する。
【０００２】
【従来の技術】
従来から、ＣＤプレーヤやＣＤ−ＲＯＭドライブ等のディスク装置では、図８及び図９の（Ａ）に示すように、扁平な箱型に形成されたディスク装置本体１の前面に横長の開口１ａを形成し、この開口１ａからディスクトレー２を矢印ａ、ｂ方向に水平に出し入れ自在に取り付けている。そして、ディスクトレー２の上面２ａにほぼ円形の凹所３を形成し、ＣＤやＣＤ−ＲＯＭ等の記録及び／又は再生用のディスク４をこの凹所３内に挿入しその底面３ａ上に水平に載せた後、図１０に示すように、ディスクトレー２によってディスク４をディスク装置本体１内に矢印ａ方向から水平にローディングするように構成されている。
【０００３】
この際、図１１及び図１２に示すように、ディスクトレー２の凹所３の中央部からローディング方向（矢印ａ方向）側の端部にかけて切欠き５が形成されており、ディスク装置本体１内の上下に、ディスクテーブル６及び光学ピックアップ７と、チャッキングプーリ８が配置されている。
【０００４】
そして、図１１に示すように、ディスクトレー２がディスク装置本体１外に矢印ｂ方向にイジェクトされた状態では、ディスク装置本体１内のディスクテーブル６及び光学ピックアップ７がベースユニット９によって回動支点１０を中心にディスクトレー２の下方向である矢印ｃ方向に退避されている。なお、チャッキングプーリ８はプーリホルダー１１によって保持されている。
【０００５】
そして、図１２に示すように、ディスクトレー２がディスク装置本体１内に矢印ａ方向からローディング完了された時に、ベースユニット９が回動支点１０を中心に矢印ｄ方向に回転駆動される。そして、ディスクトレー２の切欠き５内にディスクテーブル６及び光学ピックアップ７が下方から矢印ｄ方向に挿入されて、ディスクテーブル６がディスク４の中心穴４ａに下方から嵌合しながら、ディスク４をディスクトレー２の凹所３の底面３ａから上方に浮かす。そして、これと同時にチャッキングプーリ８とディスクテーブル６との間でディスク４をマグネットチャッキングすると共に、光学ピックアップ７をディスク４の下面に近接させる。
【０００６】
そして、この後、スピンドルモータ１２によってディスクテーブル６と一体にディスク４が回転駆動され、光学ピックアップ７によってディスク４の記録及び／又は再生が行われる。
【０００７】
【発明が解決しようとする課題】
ところで、従来のこの種ディスク装置は、図８及び図９の（Ａ）に示すように、ディスクトレー２の凹所３の底面３ａ上にディスク４を水平に載置してローディングするようにした水平使用専用機であり、垂直使用には不向きであった。
【０００８】
即ち、図９の（Ｂ）に示すように、ディスクトレー２をディスク装置本体１と共に垂直に立てて使用すると凹所３が垂直になるため、この凹所３内にディスク４を垂直に載せようとしても、凹所３の外周のテーパー面３ｂ部分でディスク４が自重で矢印ｅ方向にすべり落ちてしまい、ディスク４をディスクトレー２上に載せることができないと言う問題があった。
【０００９】
一方、特に、ＣＤ−ＲＯＭドライブ業界では、コンピュータの小型化に伴うディスク装置の狭いスペース内への設置を目的として、ディスク装置の垂直使用の要望が強まっている。
【００１０】
本発明は、上記の要望に応えるべくなされたものであって、１つのディスク装置を水平及び垂直２方向の３方向に自由に使用することができ、しかも、ディスク装置の水平及び垂直使用の何れにおいても、ディスクトレーの凹所内へのディスクの出し入れ操作を容易に行えるようにしたディスク装置を提供することを目的としている。
【００１１】
【課題を解決するための手段】
上記の目的を達成するための本発明のディスク装置は、ディスクトレーの凹所の外周に配置されて、その凹所内からのディスクの脱落を防止する複数の爪を弾性部材で成形し、これら複数の爪をディスクトレーに回転自在に取り付けて、これら複数の爪を凹所内に入り込んだ位置と、その凹所外に引き出された位置との間で回転自在に構成し、その際、これら複数の爪の弾性を利用して、位置決めする位置決め手段によって、これら複数の爪を上記凹所内に入り込んだ位置と凹所外に引き出された位置とで位置決めできるようにしたものである。
【００１２】
【作用】
上記のように構成された本発明のディスク装置は、弾性部材で構成された複数の爪をディスクトレーの凹所の外周に回転自在に取り付け、これら複数の爪をこれらの弾性を利用して位置決めする位置決め手段によって凹所内に入り込んだ位置と凹所外に引き出された位置とで位置決めできるようにしたので、ディスク装置の水平使用時には、全爪を凹所外へ引き出された位置に位置決めして、凹所内へのディスクの出し入れに複数の爪が邪魔にならないようにすることができる。そして、ディスク装置の２通りの垂直使用時には、そのディスク装置の垂直方向の向きに応じて、一部の爪のみを凹所内に入り込んだ位置に位置決めし、他の爪を凹所外に引き出した位置に位置決めする。そして、ディスクを一部の爪間をすり抜けるようにしてディスクトレーの凹所内に垂直に挿入する。そして、これら一部の爪でその垂直なディスクの外周を保持して、ディスクをディスクトレーによってディスク装置本体内に垂直にローディングすることができる。
【００１３】
【実施例】
以下、本発明を適用したディスク装置の実施例を図１〜図７を参照して説明する。なお、図８〜図１２と同一構造部には同一の符号を付して説明の重複を省く。
【００１４】
［複数の爪の概要説明］
まず、図４〜図７によって、ディスクトレー２の凹所３の外周に取り付けられた４つの爪１４の概要を説明する。
【００１５】
まず、エラストマー（ゴムと合成樹脂の混合物であり、適度な弾性を有する部材）やゴムその他の弾性部材によって成形されたほぼ長円形状の４つの爪１４が、ディスクトレー２の凹所３の外周で、そのディスクトレー２の上面２ａ上の４箇所に、それぞれ垂直（上面２ａに対して垂直であること）な４つのフランジ付支軸１５によって回転自在に取り付けられている。
【００１６】
この際、４つのフランジ付支軸１５は、ディスクトレー２の凹所３の中心Ｏ１  を通り、ディスクトレー２の幅方向（矢印ｆ、ｇ方向）の中心線Ｐ１  と、長さ方向（矢印ａ、ｂ方向）の中心線Ｐ２  に対して共に対称となる２つの対角線Ｏ２  、Ｏ３  上に配置されている。そして、凹所３の中心Ｏ１  から４つのフランシ付支軸１５の中心までの半径は等しく構成されている。
【００１７】
そして、これら４つの爪１４は、ディスクトレー２の上面２ａと平行な水平面内で、フランジ付支軸１５を中心に矢印ｓ方向にそれぞれ独立して３６０°回転自在に構成されている。但し、この際、後述する位置決め手段によって、これら４つの爪１４は図６に実線で示すように、凹所３内に入り込んだ位置と、図６に１点鎖線で示すように、凹所３外に引き出された位置との２箇所（各対角線Ｏ２  、Ｏ３  上での１８０°回転位置を言う）でクリック的に位置決めできるように構成されている。
【００１８】
そして、図６に実線で示すように、４つの爪１４を凹所３内に入り込ませた時に、図５に示すように、これらの爪１４と凹所３の底面３ａとの間にディスク４の外周４ｂを保持するポケット１６が形成されるように構成されている。なお、ディスク装置本体１の開口１ａの上縁には爪１４に対する逃げ用の左右一対の切欠き１ｂが形成されている。
【００１９】
［ディスク装置の水平使用時］
このディスク装置の水平使用時には、図６に１点鎖線で示すと共に、図７に示すように、４つの爪１４の全部を凹所３外に引き出した位置に位置決めしておく。
【００２０】
これにより、ディスクトレー２の凹所３内へのディスク４の出し入れ操作時に、４つの爪１４が全く邪魔にならず、その凹所３内へのディスク４の出し入れ操作を容易に行える。そして、水平なディスクトレー２の凹所３内にディスク４を水平に挿入して載置し、ディスクトレー２によってディスク４をディスク装置本体１内に従来通りに水平にローディングすることができる。
【００２１】
［ディスク装置の垂直使用時］
このディスク装置の垂直使用時には、図４及び図５の（Ａ）に示すように、４つの爪１４のうちの一部である図４に１４Ａ、１４Ｂで示した下側の２つの爪１４と、図４に１４Ｃで示したディスクトレー本体１側で上側の１つの爪１４との３つの爪１４を、図６に実線で示した凹所４内に入り込んだ位置まで回転して位置決めし、これら３つの爪１４と、凹所３の底面３ａとの間に３つのポケット１６を形成する。
【００２２】
一方、図４に示すように、４つの爪１４のうちの他の１つの爪である図４に１４Ｄで示したディスクトレー２のフロントパネル２ｂ側で上側の１つの爪１４だけを、図６に１点鎖線で示した凹所３外に引き出した位置に位置決めしておく。
【００２３】
すると、図４に矢印ｈ、ｉで示すように、図４に１４Ａ、１４Ｂ、１４Ｃで示した３つの爪１４の間をすり抜けるようにして、垂直なディスクトレー２の凹所３内に、ディスク４を対角線Ｏ２  に沿って斜め方向から垂直で、かつ、容易に出し入れすることができる。そして、凹所３内に垂直に挿入されたディスク４の外周４ｂが図４に１４Ａ、１４Ｂ、１４Ｃで示した３つの爪１４のポケット１６内に図５の（Ａ）で示すように挿入されて保持され、凹所３からのディスク４の脱落が防止される。
【００２４】
そして、ディスクトレー２の凹所３内にディスク４を垂直に保持して、ディスクトレー２によってディスク４をディスク装置本体１内に垂直でスムーズに矢印ａ及びｂ方向にローディング及びイジェクトすることができる。
【００２５】
なお、ディスク装置の垂直使用時には、図４に示したディスク装置本体１の垂直姿勢と、図４に示したディスク装置本体１の天地を上下反転させた垂直姿勢との２通りがある。そこで、ディスク装置本体１を図４で上下に反転して使用する時には、図４に１４Ａ、１４Ｂ、１４Ｄで示した３つの爪１４を凹所３内に入り込んだ位置に位置決めし、図４に１４Ａで示した１つの爪１４のみを凹所３外に引き出した位置に位置決めして使用することになる。
【００２６】
また、４つの爪１４は弾性を有しているので、ディスク装置の垂直使用時において、４つの爪１４の全部を凹所３内に入り込んだ位置に位置決めしておいたとしても、図５の（Ｂ）に示すように、ディスク１の外周１ｂで４つの爪１４の１つを弾性に抗して変形させるようにして、ディスク１を凹所３内に矢印ｊ方向から垂直に出し入れすることが可能である。
【００２７】
［爪取付構造の説明］
次に、図１及び図２によって、ディスクトレー２の上面２ａへの爪１４の取付構造を説明する。
【００２８】
まず、エラストマーやゴムその他の弾性部材で成形された爪１４はほぼ長円形状に形成されていて、その一端側の下部に内外２重の円筒部１４ａ、１４ｂが同心円形状に一体成形されていて、内側円筒部１４ａの上端には円形凹部１４ｃが形成されている。
【００２９】
一方、フランジ付支軸１５は合成樹脂や金属等によって段付き軸状に成形されていて、大径軸部１５ａの下端に小径軸部１５ｂが同心状に一体に成形され、大径軸部１５ａの上端に円形フランジ１５ｃが同心状に一体成形されている。
【００３０】
他方、ディスクトレー２の上面２ａで凹所３の外周の４箇所に取付台１７が一体成形され、その各取付台１７に円形凹部１８が一体成形されている。そして、その各円形凹部１８の底部の中心に軸差込穴１９が一体成形されている。
【００３１】
そこで、各フランジ付支軸１５を下端の小径軸部１５ｂから各爪１４の内側円筒部１４ａ内に上方から挿入して、大径軸部１５ａをその内側円筒部１４ａ内に嵌合させ、円形フランジ１５ｃを円形凹部１４ｃ内に嵌合する。
【００３２】
そして、各フランジ付支軸１５の小径軸部１５ｂをディスクテーブル２の各円形凹部１８の底部の軸差込穴１９内に上方から脱着可能に軽圧入させると、各爪１４の外側円筒部１４ｂが円形凹部１８内に上方から脱着可能に嵌合されて、各爪１４が各フランジ付支軸１５によってディスクトレー２の上面２ａ上に回転自在に取り付けられる。
【００３３】
従って、ディスクトレー２への各フランジ付支軸１５の軽圧入によるワンタッチ操作で、各爪１４をディスクトレー２の上面２ａ上に脱着可能に極めて簡単に取り付けることができ、各爪１４や各フランジ付支軸１５が破損等した場合には、これらの交換を容易に行える。
【００３４】
そして、各爪１４の外側円筒部１４ｂがディスクトレー２の上面２ａの円形凹部１８内に嵌合された状態で、各爪１４はフランジ付支軸１４を中心に矢印ｓ方向に３６０°回転可能になる。
【００３５】
［爪の位置決め手段の第１実施例の説明］
図１及び図２に示すように、この第１実施例では、各爪１４を図１の（Ａ）に実線で示すように凹所３内に入り込んだ位置と、各爪１４を図１の（Ａ）に１点鎖線で示すように凹所３外に引き出された位置との１８０°回転位置の２箇所で位置決めするための位置決め手段２０として、各爪１４の外側円筒部１４ｂの下端の１８０°対向位置の２箇所に形成した一対の係止溝２１と、ディスクトレー２の円形凹部１８の底部の外周の１８０°対向位置の２箇所に一体成形した一対の係止突起２２とによって構成したものである。
【００３６】
そして、この位置決め手段２０は、各爪１４のフランジ付支軸１５を中心に矢印ｓ方向に３６０°回転操作する際に、外側円筒部１４ｂの弾性を利用して、一対の係止溝２１を一対の係止突起２２に対して係合及び離脱させるようにして、各爪１４を上記の１８０°回転位置で、クリック的にスムーズに位置決めすることができるものである。
【００３７】
そして、このように、各爪１４の弾性を利用して、各爪１４を１８０°回転位置で位置決めするようにした位置決め手段２０は、構造が簡単である上に、適度なクリック感があり、各爪１４の回転及び位置決め操作をスムーズに行える。なお、特に、複数の爪１４をゴムと合成樹脂との混合物であるエラストマーで成形した場合には、複数の爪１４に高感度のクリック感を与えることができる。
【００３８】
［爪の位置決め手段の第２実施例］
図３に示すように、第２実施例では、各爪１４の上記位置決め手段２０として、ディスクトレー２の凹所３の外周で、４つの取付台１７の内側に沿って一体成形されたリブ２３に各爪１４の位置決め用切欠き２４を形成したものである。
【００３９】
そして、各爪１４を図３に点線で示すように凹所３内に入り込んだ位置へ回転させた時に、その爪１４を弾性を利用してリブ２３上から切欠き２４内にクリック的に落ち込ませて、その切欠き２４の対向側面２４ａ間で、その爪１４の両側面１４ｄを両側から位置決めするようにしたものである。
【００４０】
そして、各爪１４を１点鎖線で示すように凹所３外へ引き出す際には、その爪１４を弾性に抗して切欠き２４内からリブ２３上に押し上げるようにして回転する。すると、各爪１４は凹所３外へ引き出された位置である程度の範囲内で回転可能ではあるものの、リブ２３によって大まかに位置決めされて、凹所３内へは入り込まなくなる。
【００４１】
以上、本発明の実施例に付き述べたが、本発明は上記の実施例に限定されることなく、本発明の技術的思想に基づいて各種の変更が可能である。
【００４２】
【発明の効果】
以上のように構成された本発明のディスク装置は、次のような効果を奏する。
【００４３】
請求項１は、ディスク装置の水平使用時には、全爪を凹所外へ引き出された位置に位置決めして、凹所内へのディスクの出し入れに複数の爪が邪魔にならないようし、ディスク装置の２通りの垂直使用時には、そのディスク装置の垂直方向の向きに応じて、一部の爪のみを凹所内に入り込んだ位置に位置決めし、他の爪を凹所外に引き出した位置に位置決めするようにして、ディスクを一部の爪間をすり抜けるようにしてディスクトレーの凹所内に垂直に挿入して、これら一部の爪でその垂直なディスクの外周を保持する。そして、ディスクをディスクトレーによってディスク装置本体内に垂直にローディングすることができるようにしたので、１つのディスク装置を水平及び垂直２方向の３方向に自由に使用することができるにも拘らず、そのディスク装置の水平及び垂直使用の何れにおいても、ディスクトレーの凹所内へのディスクの出し入れ操作を容易に行えて、操作性が一段と向上する。
【００４４】
請求項１は、複数の爪をディスクトレーの凹所内に入り込んだ位置と凹所外に引き出された位置とで位置決めする位置決め手段が、これら複数の爪の弾性を利用して行うものであるから、その位置決め手段の構造が簡単である上に、複数の爪をクリック的に位置決めすることができて、複数の爪の回転及び位置決め操作をスムーズに行える。
【００４５】
請求項２は、上記複数の爪にそれぞれ挿通されて、上記ディスクトレーに脱着可能に軽圧入された複数のフランジ付支軸によって、これら複数の爪を上記ディスクトレーに回転自在に取り付けたので、ディスクトレーに対する複数の爪の脱着操作をワンタッチ操作で極めて簡単に行える上に、爪及びフランジ付支軸の交換も可能である。
【００４６】
請求項３は、上記複数の爪をエラストマーで成形したので、複数の爪に高感度のクリック感を与えることができて、複数の爪の回転及び位置決め操作をスムーズに行えて、使い勝手が非常に良い。
【図面の簡単な説明】
【図１】本発明を適用したディスク装置の実施例における要部である爪の取付構造を示したものであって、図１の（Ａ）は平面図、図１の（Ｂ）は図１の（Ａ）のＡ−Ａ矢視での断面図、図１の（Ｃ）は図１の（Ｂ）のＢ−Ｂ矢視での断面図である。
【図２】図１の分解斜視図である。
【図３】爪の位置決め手段の他の例を示す斜視図である。
【図４】本発明のディスク装置の垂直使用時を説明する斜視図である。
【図５】図４のＣ−Ｃ矢視での断面図である。
【図６】本発明のディスク装置の４つの爪の回転位置を説明する側面図である。
【図７】本発明のディスク装置の水平使用時を説明する斜視図である。
【図８】従来のディスク装置の水平使用時のディスクトレーのイジェクト状態の斜視図である。
【図９】ディスクトレーの図８のＤ−Ｄ矢視での水平使用時と垂直使用時を示す断面図である。
【図１０】従来のディスク装置の水平使用時のディスクのローディング完了状態を示した斜視図である。
【図１１】ディスク装置本体内のディスクテーブル及びチャッキングプーリによるディスクのマグネットチャッキング解除状態を説明する側面図である。
【図１２】ディスク装置本体内のディスクテーブル及びチャッキングプーリによるディスクのマグネットチャッキング状態を説明する側面図である。
【符号の説明】
１      ディスク装置本体
２      ディスクトレー
２ａ    ディスクトレーの上面
３      ディスクトレーの凹所
１４    爪
１４ａ、１４ｂ  爪の円筒部
１５    フランジ付軸
１６    ポケット
１８    円形凹部
１９    軸取付穴
２０    位置決め手段
２１    係止溝
２２    係止突起
２４    位置決め用切欠き
【図１】
0003551550.tif 000002
【図２】
0003551550.tif 000003
【図３】
0003551550.tif 000004
【図４】
0003551550.tif 000005
【図５】
0003551550.tif 000006
【図６】
0003551550.tif 000007
【図７】
0003551550.tif 000008
【図８】
0003551550.tif 000009
【図９】
0003551550.tif 000010
【図１０】
0003551550.tif 000011
【図１１】
0003551550.tif 000012
【図１２】
0003551550.tif 000013